(57)【要約】【課題】音量を実際に自動調整する調整部を設けなくても、ユーザが音量調整を行う手間を低減することができるデジタル放送受信装置を提供する。【解決手段】デジタル放送受信装置は、受信したデジタル放送のトランスポートストリームに含まれる圧縮デジタル音声信号を伸長して出力する第１音声デコーダ（例えば音声デコーダ１０３）と、少なくとも前記第１音声デコーダから出力されるデジタル音声信号をエンコードするエンコーダ（例えばエンコーダ１０５）と、前記エンコーダから出力される圧縮デジタル音声信号をデコードする第２音声デコーダ（例えば音声デコーダ１０６）とを備える。【選択図】図２
2013041197.tif 000002
【特許請求の範囲】
【請求項１】
受信したデジタル放送のトランスポートストリームに含まれる圧縮デジタル音声信号を伸長して出力する第１音声デコーダと、
少なくとも前記第１音声デコーダから出力されるデジタル音声信号をエンコードするエンコーダと、
前記エンコーダから出力される圧縮デジタル音声信号をデコードする第２音声デコーダとを備えることを特徴とするデジタル放送受信装置。
【請求項２】
前記第２音声デコーダから出力されるデジタル音声信号をＤ／Ａ変換してアナログ音声信号を出力する音声Ｄ／Ａコンバータを備えることを特徴とする請求項１に記載のデジタル放送受信装置。
【請求項３】
前記エンコーダが、音声エンコードのビットレートを変更することができるエンコーダであることを特徴とする請求項１又は請求項２に記載のデジタル放送受信装置。
【請求項４】
放送番組の本編からコマーシャルへの切り替わりが検出され、かつ、前記本編と前記コマーシャルとの音量差が閾値以上である場合、前記エンコーダが、音声エンコードのビットレートを変更前よりも変更後の方が小さくなるように変更することを特徴とする請求項３に記載のデジタル放送受信装置。
【請求項５】
前記エンコーダ及び前記第２音声デコーダをバイパスするバイパス経路を備えることを特徴とする請求項１又は請求項２に記載のデジタル放送受信装置。
【請求項６】
放送番組の本編からコマーシャルへの切り替わりが検出され、かつ、前記本編と前記コマーシャルとの音量差が閾値以上である場合、前記バイパス経路が、使用状態から不使用状態に切り替わることを特徴とする請求項５に記載のデジタル放送受信装置。
【発明の詳細な説明】
【技術分野】
【０００１】
本発明は、デジタル放送を受信するデジタル放送受信装置に関する。
【背景技術】
【０００２】
デジタル放送を受信するデジタル放送受信装置は、受信したデジタル放送のトランスポートストリームを処理する映像音声処理部を備えている。ここで、従来のデジタル放送受信装置が備える映像音声処理部の概略構成例を図９に示す。
【０００３】
図９に示す映像音声処理部は、受信したデジタル放送のトランスポートストリームを圧縮デジタル映像信号、圧縮デジタル音声信号等に分離する分離部２０１と、分離部２０１から送られてくる圧縮デジタル映像信号を伸長して出力する映像デコーダ２０２と、分離部２０１から送られてくる圧縮デジタル音声信号を伸長して出力する音声デコーダ２０３と、映像デコーダ２０２から出力されるデジタル映像信号をＤ／Ａ変換してアナログ映像信号を出力する映像Ｄ／Ａコンバータ２０４と、音声デコーダ２０３から出力されるデジタル音声信号であるＰＣＭ（pulse code modulation）デジタル音声信号をＤ／Ａ変換してアナログ音声信号を出力する音声Ｄ／Ａコンバータ２０５とを備えている。
【先行技術文献】
【特許文献】
【０００４】
【特許文献１】特開２００８−４１１４４号公報
【特許文献２】特開２００２−１１２１７３号公報
【特許文献３】特開２００９−４９４７４号公報（段落０００６及び００３１）
【発明の概要】
【発明が解決しようとする課題】
【０００５】
図９に示す映像音声処理部からは、放送局側が意図したレベルのままのアナログ音声信号が出力されることになる。
【０００６】
一方、放送のデジタル化に伴い、多チャンネル化や高ダイナミックレンジ化の傾向にあり、異なる放送番組間、異なるチャンネル間、放送番組の本編とコマーシャル（以下、ＣＭともいう）との間等で音量差が大きくなることがある。放送局側が意図したレベルのままのアナログ音声信号が映像音声処理部から出力されるにもかかわらず、このような大きな音量差が頻繁に生じると、ユーザはこまめに音量調整を行うことを強いられることになり、ユーザにとって不便である。
【０００７】
ここで、特許文献１では、ネットワーク経由で圧縮されたコンテンツを受信し、受信した前記コンテンツをストレージ手段に記録するコンテンツ記録装置であって、前記コンテンツをデコードするデコード手段と、該デコード手段によってデコードされた前記コンテンツの音量を設定されている基準音量レベルに調整する音量レベル調整手段と、該音量レベル調整手段によって前記基準音量レベルに調整された前記コンテンツを設定されている基準圧縮率でエンコードするエンコード手段と具備し、前記エンコード手段によって前記基準圧縮率でエンコードされた前記コンテンツを前記ストレージ手段に記録することを特徴とするコンテンツ記録装置が提案されている。
【０００８】
また、特許文献２では、入力される音声信号を記録媒体に記録再生可能な記録再生装置であって、入力される音声信号に対して出力する音声信号の音量を可変可能な音量可変手段と、入力される音声信号がコマーシャル信号であることを検出する検出手段と、前記検出手段でコマーシャル信号を検出した場合前記音量可変手段に対して音声信号の音量を可変するよう制御する音声制御手段とを備えたことを特徴とする記録再生装置が提案されている。
【０００９】
特許文献１や特許文献２において提案されている装置では、音量を実際に自動調整することでユーザが音量調整を行う手間を低減することができるが、音量を実際に自動調整する調整部を必須としているため、構成上の制約がある。
【００１０】
なお、特許文献３で提案されているシーンの重要度に応じてビットレートを調節することができる情報処理装置は、例えば、歓声の音量を検出し、歓声の音量の割合によって、評価値を設定している場合、歓声の音量を検出する音量検出部が設けられることになるため、音量に関連する発明になるが、ユーザが音量調整を行う手間を低減することができるものではない。
【００１１】
本発明は、上記の状況に鑑み、音量を実際に自動調整する調整部を設けなくても、ユーザが音量調整を行う手間を低減することができるデジタル放送受信装置を提供することを目的とする。
【課題を解決するための手段】
【００１２】
上記目的を達成するために本発明に係るデジタル放送受信装置は、受信したデジタル放送のトランスポートストリームに含まれる圧縮デジタル音声信号を伸長して出力する第１音声デコーダと、少なくとも前記第１音声デコーダから出力されるデジタル音声信号をエンコードするエンコーダと、前記エンコーダから出力される圧縮デジタル音声信号をデコードする第２音声デコーダとを備える構成とする。
【００１３】
また、前記第２音声デコーダから出力されるデジタル音声信号をＤ／Ａ変換してアナログ音声信号を出力する音声Ｄ／Ａコンバータを備えるようにしてもよい。
【００１４】
また、前記エンコーダが、音声エンコードのビットレートを変更することができるエンコーダであってもよい。この場合、放送番組の本編からコマーシャルへの切り替わりが検出され、かつ、前記本編と前記コマーシャルとの音量差が閾値以上である場合、前記エンコーダが、音声エンコードのビットレートを変更前よりも変更後の方が小さくなるように変更すればよい。
【００１５】
また、前記エンコーダ及び前記第２音声デコーダをバイパスするバイパス経路を備えてもよい。この場合、放送番組の本編からコマーシャルへの切り替わりが検出され、かつ、前記本編と前記コマーシャルとの音量差が閾値以上である場合、前記バイパス経路が、使用状態から不使用状態に切り替わるようにすればよい。
【発明の効果】
【００１６】
本発明に係るデジタル放送受信装置は、上述の通り、受信したデジタル放送のトランスポートストリームに含まれる圧縮デジタル音声信号を伸長して出力する第１音声デコーダと、少なくとも前記第１音声デコーダから出力されるデジタル音声信号をエンコードするエンコーダと、前記エンコーダから出力される圧縮デジタル音声信号をデコードする第２音声デコーダとを備える構成である。
【００１７】
このような構成によると、前記エンコーダの音声エンコードに伴う品質劣化によって、最終的に得られるアナログ音声信号の音質が悪くなり、ユーザにとって聞き取りにくくなるため、ユーザに音量が下がったと錯覚させることができる。すなわち、音量を実際に下げることなく、擬似的に音量を下げることが可能となる。したがって、音量を実際に自動調整する調整部を設けなくても、ユーザが音量調整を行う手間を低減することができる。
【図面の簡単な説明】
【００１８】
【図１】本発明の一実施形態に係るＨＤＤ搭載光ディスクレコーダの概略構成を示す図である。
【図２】本発明の一実施形態に係るＨＤＤ搭載光ディスクレコーダが備える映像音声処理部の概略構成例を示す図である。
【図３】本発明の一実施形態に係るＨＤＤ搭載光ディスクレコーダが備える映像音声処理部の他の概略構成例を示す図である。
【図４】本発明の一実施形態に係るＨＤＤ搭載光ディスクレコーダが備える映像音声処理部の更に他の概略構成例を示す図である。
【図５】映像音声処理部の動作例を示すフローチャートである。
【図６】映像音声処理部の他の動作例を示すフローチャートである。
【図７】本発明の一実施形態に係るＨＤＤ搭載光ディスクレコーダが備えるバイパス経路を有する映像音声処理部の概略構成例を示す図である。
【図８】バイパス経路を有する映像音声処理部の動作例を示すフローチャートである。
【図９】従来のデジタル放送受信装置が備える映像音声処理部の概略構成例を示す図である。
【発明を実施するための形態】
【００１９】
本発明の実施形態について図面を参照して以下に説明する。ここでは、本発明に係るデジタル放送受信装置としてＨＤＤ（Hard Disk Drive）搭載光ディスクレコーダを例に挙げて説明を行う。
【００２０】
本発明の一実施形態に係るＨＤＤ搭載レコーダの概略構成を図１に示す。図１に示す本発明の一実施形態に係るＨＤＤ搭載光ディスクレコーダ１００（以下、「ＨＤＤ搭載光ディスクレコーダ１００」と略す）は、デジタルチューナ１と、映像音声処理部２と、ＯＳＤ（On Screen Display）部３と、出力部４と、ＨＤＤ記録再生部５と、光ディスク記録再生部６と、制御部７と、不揮発性メモリ８と、受光部９と、本体操作キー群１０とを備えている。
【００２１】
デジタルチューナ１は、アンテナＡＮＴから受け取ったテレビ放送信号の選局及び復調（例えばＯＦＤＭ（Orthogonal Frequency Division Multiplexing）復調）を行う。映像音声処理部２は、デジタルチューナ１から受け取ったトランスポートストリームに含まれる映像音声信号又はＨＤＤ記録再生部５若しくは光ディスク記録再生部６で再生された映像音声信号を信号処理してから出力部４に送ったり、デジタルチューナ１から受け取ったトランスポートストリームに含まれる映像音声信号をＨＤＤ記録再生部５又は光ディスク記録再生部６に送ったりする。ＯＳＤ部３は、制御部７からの指示に基づいて生成したＯＳＤ画像データを出力部４に送る。出力部４は、映像音声処理部２から受け取ったアナログ映像信号とＯＳＤ部３から受け取ったＯＳＤ画像データとを合成した合成映像信号を外部に出力したり、上記合成処理を行わず映像音声処理部２から受け取ったアナログ映像信号をそのまま外部に出力したり、上記合成処理を行わずＯＳＤ部３から受け取ったＯＳＤ画像データをそのまま外部に出力したり、映像音声処理部２から受け取ったアナログ音声信号を外部に出力したりする。出力部４の出力信号は、ＨＤＤ搭載光ディスクレコーダ１００に接続されるテレビ受像機（不図示）に送出される。ＨＤＤ搭載光ディスクレコーダ１００に接続されるテレビ受像機は、出力部４の出力信号に基づく映像表示および音声出力を行う。
【００２２】
ＨＤＤ記録再生部５は、映像音声処理部２から受け取った映像音声信号をハードディスクに記録したり、ハードディスクに記録されている映像音声信号を再生したりする。また、光ディスク記録再生部６は、映像音声処理部２から受け取った映像音声信号を光ディスクに記録したり、光ディスクに記録されている映像音声信号を再生したりする。なお、光ディスクは、光ディスク記録再生部６に対して着脱自在に装着される。
【００２３】
受光部９は、リモコン送信機（不図示）から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル等）と、受光部９から受け取った操作コードと、複数の本体キーを有する本体操作キー群１０から出力される信号によって定まる操作コードとに応じて、ＨＤＤ搭載光ディスクレコーダ１００の各部を制御する。
【００２４】
次に、ＨＤＤ搭載光ディスクレコーダ１００が備える映像音声処理部２は、例えば、図２に示す構成や図３に示す構成にする。
【００２５】
図２に示す構成では、映像音声処理部２は、受信したデジタル放送のトランスポートストリームを圧縮デジタル映像信号、圧縮デジタル音声信号等に分離する分離部１０１と、分離部１０１から送られてくる圧縮デジタル映像信号を伸長して出力する映像デコーダ１０２と、分離部１０１から送られてくる圧縮デジタル音声信号を伸長して出力する音声デコーダ１０３と、映像デコーダ１０２から出力されるデジタル映像信号をＤ／Ａ変換してアナログ映像信号を出力する映像Ｄ／Ａコンバータ１０４と、音声デコーダ１０３から出力されるデジタル音声信号であるＰＣＭデジタル音声信号をエンコードするエンコーダ１０５と、エンコーダ１０５から出力される圧縮デジタル音声信号をデコードする音声デコーダ１０６と、音声デコーダ１０６から出力されるデジタル音声信号であるＰＣＭデジタル音声信号をＤ／Ａ変換してアナログ音声信号を出力する音声Ｄ／Ａコンバータ１０７とを備えている。なお、エンコーダ１０５は、エンコードのビットレートを変更することができるエンコーダである。
【００２６】
また、図３に示す構成は、図２に示す構成においてエンコーダ１０５の代わりに、映像デコーダ１０２から出力されるデジタル映像信号及び音声デコーダ１０３から出力されるデジタル音声信号をエンコードするエンコーダ１０８を設け、更にエンコーダ１０８と映像Ｄ／Ａコンバータ１０４の間に映像デコーダ１０９を設け、エンコーダ１０８と音声Ｄ／Ａコンバータ１０７の間に音声デコーダ１１０を設けた構成である。したがって、図３に示す構成では、エンコーダ１０８が、映像デコーダ１０２から出力されるデジタル映像信号及び音声デコーダ１０３から出力されるデジタル音声信号をエンコードし、映像デコーダ１０９が、エンコーダ１０８から出力される圧縮デジタル映像信号をデコードし、音声デコーダ１１０が、エンコーダ１０８から出力される圧縮デジタル音声信号をデコードし、映像Ｄ／Ａコンバータ１０４が、映像デコーダ１０９から出力されるデジタル映像信号をＤ／Ａ変換してアナログ映像信号を出力し、音声Ｄ／Ａコンバータ１０７が、音声デコーダ１１０から出力されるデジタル音声信号であるＰＣＭデジタル音声信号をＤ／Ａ変換してアナログ音声信号を出力することになる。エンコーダ１０８は、音声エンコードのビットレートを変更することができるエンコーダである。
【００２７】
図３に示す構成では、エンコーダ１０８が映像信号と音声信号とを同期して処理するために、アナログ映像信号とアナログ音声信号とにずれが生じない。これに対して、図２に示す構成では、エンコーダ１０５及び音声デコーダ１０６の処理時間が長ければ、アナログ映像信号に対してアナログ音声信号が遅れることになる。したがって、エンコーダ１０５及び音声デコーダ１０６の処理時間が長い場合等には、例えば図４に示す構成のように、映像デコーダ１０２と映像Ｄ／Ａコンバータ１０４の間に遅延回路１１１を設けるようにすればよい。
【００２８】
次に、映像音声処理部２の動作例について図５に示すフローチャートを参照して説明する。
【００２９】
映像音声処理部２の動作開始時には、映像音声処理部２の各部が動作を開始する（ステップＳ１０）。ステップＳ１０に続くステップＳ２０において、放送番組（デジタルチューナ１から送られてくるものに限らず、例えばＨＤＤ記録再生部５や光ディスク記録再生部６によって再生された放送番組も含む）の本編とＣＭとの切り替わりが検出され、かつ、本編とＣＭとの音量差が閾値以上であるか否かが判定される。判定の主体は、例えば、映像音声処理部２から出力される情報に基づき当該判定を行って判定結果を映像音声処理部２に送る制御部７としてもよく、映像音声処理部２に配置され映像音声処理部２全体を制御する制御部（不図示）としてもよい。なお、本編とＣＭとの切り替わりの検出方法としては、例えば音声デコーダから出力される音声信号を用いて音量を検知し、音量が大きい期間をＣＭととし、音量が小さい期間を本編とする検出方法が挙げられる。
【００３０】
放送番組の本編とＣＭとの切り替わりが検出されない場合、又は、放送番組の本編とＣＭとの切り替わりは検出されたが本編とＣＭとの音量差が閾値未満である場合（ステップＳ２０のＮＯ）、ステップＳ２０に戻り、上記の判定を継続する。
【００３１】
一方、放送番組の本編とＣＭとの切り替わりが検出され、かつ、本編とＣＭとの音量差が閾値以上である場合（ステップＳ２０のＹＥＳ）、エンコーダ１０５あるいは１０８のエンコードを一時停止する（ステップＳ３０）。このような一時停止動作が入るため、必要に応じてエンコーダ１０５あるいは１０８の前段にバッファメモリ等を設けるようにしてもよい。
【００３２】
ステップＳ３０に続くステップＳ４０において、エンコーダ１０５あるいは１０８は音声エンコードのビットレートを変更する。本編からＣＭに切り替わったときは音声エンコードのビットレートを変更前よりも変更後の方が小さくなるようにし、ＣＭから本編に切り替わったときは音声エンコードのビットレートを変更前よりも変更後の方が大きくなるようにする。
【００３３】
ステップＳ４０に続くステップＳ５０において、エンコーダ１０５あるいは１０８のエンコードを再開し、その後ステップＳ２０に戻り、上記の判定を継続する。
【００３４】
エンコーダ１０５あるいは１０８において音声エンコードのビットレートを小さくした場合、その後デコードして得られるアナログ音声信号の音質が悪くなり、ユーザにとって聞き取りにくくなるため、ユーザに音量が下がったと錯覚させることができる。すなわち、エンコーダ１０５あるいは１０８において音声エンコードのビットレートを小さくすることによって、音量を実際に下げることなく、擬似的に音量を下げることが可能となる。
【００３５】
なお、放送番組の本編とＣＭとの間だけでなく、異なる放送番組間、異なるチャンネル間、異なるコンテンツのソース間（例えば、非外部入力系統と外部入力系統との間、地上デジタル放送と衛星デジタル放送との間など）においても、音量差が大きくなる場合がある。このため、映像音声処理部２が例えば図６に示す動作を行うようにしてもよい。なお、図６に示すフローチャートでは、図５に示すフローチャートにステップＳ２１〜Ｓ２３を追加している。
【００３６】
図６に示すフローチャートでは、放送番組の本編とＣＭとの切り替わりが検出されない場合、又は、放送番組の本編とＣＭとの切り替わりは検出されたが本編とＣＭとの音量差が閾値未満である場合（ステップＳ２０のＮＯ）、ステップＳ２１に移行する。放送番組の本編とＣＭとの切り替わりが検出され、かつ、本編とＣＭとの音量差が閾値以上である場合（ステップＳ２０のＹＥＳ）、図５に示すフローチャートと同様に、ステップＳ３０に移行する。
【００３７】
ステップＳ２１では、或る放送番組からそれとは別の放送番組への切り替わりが検出され、かつ、或る放送番組とそれとは別の放送番組との音量差が閾値以上であるか否かが判定される。なお、ステップＳ２１の判定の主体は、例えば、ＥＰＧ等を用いて当該判定を行って判定結果を映像音声処理部２に送る制御部７とすればよい。
【００３８】
或る放送番組からそれとは別の放送番組への切り替わりが検出されない場合、又は、或る放送番組からそれとは別の放送番組への切り替わりは検出されたが或る放送番組とそれとは別の放送番組との音量差が閾値未満である場合（ステップＳ２１のＮＯ）、ステップＳ２２に移行する。一方、或る放送番組からそれとは別の放送番組への切り替わりが検出され、かつ、或る放送番組とそれとは別の放送番組との音量差が閾値以上である場合（ステップＳ２１のＹＥＳ）、ステップＳ３０に移行する。
【００３９】
ステップＳ２２では、或るチャンネルからそれとは別のチャンネルへの切り替わりが検出され、かつ、或るチャンネルとそれとは別のチャンネルとの音量差が閾値以上であるか否かが判定される。なお、ステップＳ２２の判定の主体は、例えば、把握している選局状態から当該判定を行って判定結果を映像音声処理部２に送る制御部７とすればよい。
【００４０】
或るチャンネルからそれとは別のチャンネルへの切り替わりが検出されない場合、又は、或るチャンネルからそれとは別のチャンネルへの切り替わりは検出されたが或るチャンネルとそれとは別のチャンネルとの音量差が閾値未満である場合（ステップＳ２２のＮＯ）、ステップＳ２３に移行する。一方、或るチャンネルからそれとは別のチャンネルへの切り替わりが検出され、かつ、或るチャンネルとそれとは別のチャンネルとの音量差が閾値以上である場合（ステップＳ２２のＹＥＳ）、ステップＳ３０に移行する。
【００４１】
ステップＳ２３では、或るコンテンツのソースからそれとは別のコンテンツのソースへの切り替わりが検出され、かつ、或るコンテンツのソースとそれとは別のコンテンツのソースとの音量差が閾値以上であるか否かが判定される。なお、ステップＳ２３の判定の主体は、例えば、把握しているコンテンツのソースから当該判定を行って判定結果を映像音声処理部２に送る制御部７とすればよい。
【００４２】
或るコンテンツのソースからそれとは別のコンテンツのソースへの切り替わりが検出されない場合、又は、或るコンテンツのソースからそれとは別のコンテンツのソースへの切り替わりは検出されたが或るコンテンツのソースとそれとは別のコンテンツのソースとの音量差が閾値未満である場合（ステップＳ２３のＮＯ）、ステップＳ２０に戻る。一方、或るコンテンツのソースからそれとは別のコンテンツのソースへの切り替わりが検出され、かつ、或るコンテンツのソースとそれとは別のコンテンツのソースとの音量差が閾値以上である場合（ステップＳ２３のＹＥＳ）、ステップＳ３０に移行する。
【００４３】
次に、バイパス経路を有する映像音声処理部２について説明する。上述した映像音声処理部２（図２〜図４参照）はバイパス経路を有さない構成であるが、例えば図７に示すようにバイパス経路１１２を有する構成にすることも可能である。図７に示す映像音声処理部２は、図２に示す構成に、バイパス経路１１２と、スイッチ１１３及び１１４とを追加した構成である。スイッチ１１３はエンコーダ１０５とバイパス経路１１２を択一的に選択し、選択した方に音声デコーダ１０３から出力されるＰＣＭデジタル音声信号を供給する。スイッチ１１４は音声デコーダ１０６とバイパス経路１１２を択一的に選択し、選択した方から出力されるＰＣＭデジタル音声信号を音声Ｄ／Ａコンバータ１０７に供給する。なお、図７に示す構成では、エンコーダ１０５は、音声エンコードのビットレートを変更することができなくても構わない。
【００４４】
次に、バイパス経路を有する映像音声処理部２である図７に示す映像音声処理部２の動作例について図８に示すフローチャートを参照して説明する。
【００４５】
ステップＳ１０及びＳ２０については図５に示すフローチャートと同様であるので、詳細な説明を省略する。
【００４６】
放送番組の本編とＣＭとの切り替わりが検出されない場合、又は、放送番組の本編とＣＭとの切り替わりは検出されたが本編とＣＭとの音量差が閾値未満である場合（ステップＳ２０のＮＯ）、ステップＳ２０に戻る。
【００４７】
一方、放送番組の本編とＣＭとの切り替わりが検出され、かつ、本編とＣＭとの音量差が閾値以上である場合（ステップＳ２０のＹＥＳ）、スイッチ１１３及び１１４が選択の切り替えを行い（ステップＳ３１）、その後ステップＳ２０に戻る。放送番組の本編からＣＭに切り替わる場合、スイッチ１１３はバイパス経路１１２からエンコーダ１０５に選択を切り替え、スイッチ１１４はバイパス経路１１２から音声デコーダ１０６に選択を切り替える。逆に、放送番組のＣＭから本編に切り替わる場合、スイッチ１１３はエンコーダ１０５からバイパス経路１１２に選択を切り替え、スイッチ１１４は音声デコーダ１０６からバイパス経路１１２に選択を切り替える。
【００４８】
スイッチ１１３及び１１４が、バイパス経路１１２を選択していない場合、エンコーダ１０５の音声エンコードに伴う品質劣化によってアナログ音声信号の音質が悪くなり、ユーザにとって聞き取りにくくなるため、ユーザに音量が下がったと錯覚させることができる。すなわち、音量を実際に下げることなく、擬似的に音量を下げることが可能となる。
【００４９】
以上、本発明に係る実施形態について説明したが、本発明の範囲はこれに限定されるものではなく、発明の主旨を逸脱しない範囲で種々の変更を加えて実行することができる。
【００５０】
例えば、図２から図７への変形と同様の変形を図３や図４に対しても行うことができる。また、図５から図６への変形と同様の変形を図８に対しても行うことができる。また、図６からステップＳ２１〜Ｓ２３のいずれか一つあるいはいずれか二つを取り除くことも可能である。
【００５１】
また、ＨＤＤ搭載光ディスクレコーダ自体は映像Ｄ／Ａコンバータや音声Ｄ／Ａコンバータを備えず、ＨＤＤ搭載光ディスクレコーダの出力端に接続される機器が映像Ｄ／Ａコンバータや音声Ｄ／Ａコンバータを備えるようにしてもよい。
【００５２】
また、本発明は、ＨＤＤ搭載光ディスクレコーダ以外のデジタル放送受信装置（例えばテレビ受像機）にも適用することができる。
【符号の説明】
【００５３】
１  デジタルチューナ
２  映像音声処理部
３  ＯＳＤ部
４  出力部
５  ＨＤＤ記録再生部
６  光ディスク記録再生部
７  制御部
８  不揮発性メモリ
９  受光部
１０  本体操作キー群
１０１、２０１  分離部
１０２、１０９、２０２  映像デコーダ
１０３、１０６、１１０、２０３  音声デコーダ
１０４、２０４  映像Ｄ／Ａコンバータ
１０５、１０８  エンコーダ
１０７、２０５  音声Ｄ／Ａコンバータ
１１１  遅延回路
１１２  バイパス経路
１１３、１１４  スイッチ
ＡＮＴ  アンテナ
【図１】
2013041197.tif 000003
【図２】
2013041197.tif 000004
【図３】
2013041197.tif 000005
【図４】
2013041197.tif 000006
【図５】
2013041197.tif 000007
【図６】
2013041197.tif 000008
【図７】
2013041197.tif 000009
【図８】
2013041197.tif 000010
【図９】
2013041197.tif 000011